(57)【要約】【課題】  表示装置を構成する表示ユニットを交換した時に、輝度の変換データや色度の変換データを全て書き換えなくても、表示装置の色調を再調整できるようにする。また、複数個の表示ユニットを組み合わせて表示モジュールを構成する場合に、表示モジュールを構成する全ての発光素子に対する輝度と色度の調整を容易にする。【解決手段】  表示モジュール全体の輝度と色度を変換する第１の色変換手段（２２）と、表示ユニット内の輝度と色度を変換する第２の色変換手段（３２）とを備えた。【選択図】        図１
2006267314.tif 000002
【特許請求の範囲】
【請求項１】
複数個の表示ユニットが配列されて表示モジュールを構成する表示装置であって、
前記表示ユニットの表示特性情報に基づいて表示ユニット毎に求められ、表示ユニット間に発生する色のばらつきをなくすことを目的とした第１の色変換用のパラメータを含む情報を格納する第１の記憶手段と、
画像データ及び前記第１の色変換用のパラメータを取得し、前記画像データを前記第１の色変換用のパラメータに基づいて色変換して、第１の色変換後の画像データを出力する第１の色変換手段とを備え、
前記表示ユニットの各々が、
複数の色調の発光素子が画素毎に配置されている発光部と、
前記発光素子の色彩特性情報に基づいて画素毎に求められ、表示ユニット内部に発生する色のばらつきをなくすことを目的とした第２の色変換用のパラメータを含む情報を格納する第２の記憶手段と、
前記第１の色変換後の画像データ及び前記第２の色変換用のパラメータを取得し、前記第１の色変換後の画像データを前記第２の色変換用のパラメータに基づいて色変換する第２の色変換手段と
を備えることを特徴とする表示装置。
【請求項２】
前記第１の色変換用のパラメータが、表示ユニット間に発生する輝度と色度のばらつきをなくすことを目的としたものであり、
前記第１の色変換手段が、前記パラメータに基いて前記色変換として、輝度および色度の変換を行うことを特徴とする請求項１に記載の表示装置。
【請求項３】
前記第２の色変換用のパラメータが、表示ユニット内部に発生する輝度と色度のばらつきをなくすことを目的としたものであり、
前記第２の色変換手段が、前記第２の色変換のパラメータに基いて、輝度および色度の変換を行う
ことを特徴とする請求項１又は２に記載の表示装置。
【請求項４】
前記第２の色変換用のパラメータが、表示ユニット内部に発生する輝度のばらつきをなくすことを目的としたものであり、
前記第２の色変換手段が、前記第２の色変換のパラメータに基いて、輝度の変換を行う
ことを特徴とする請求項１又は２に記載の表示装置。
【請求項５】
表示モジュールが複数個の第１段の表示ユニットの配列により構成され、
第ｎ段（ｎは、１≦ｎ≦Ｎ−１を満たす整数。ここで、Ｎは２以上の整数）の表示ユニットが、複数個の第（ｎ＋１）段の表示ユニットの配列により構成され、
前記第１段の表示ユニットの表示特性情報に基づいて前記第１段の表示ユニット毎に求められ、第１段の表示ユニット間に発生する色のばらつきをなくすことを目的とした第１の色変換用のパラメータを含む情報を格納する第１の記憶手段と、
画像データ及び前記第１の色変換用のパラメータを取得し、前記画像データを前記第１の色変換用のパラメータに基づいて色変換して、第１の色変換後の画像データを出力する第１の色変換手段とを備え、
前記第ｎ段の表示ユニットの各々が、
前記第（ｎ＋１）段の表示ユニットの表示特性情報に基づいて第（ｎ＋１）段の表示ユニット毎に求められ、第（ｎ＋１）段の表示ユニット間に発生する色のばらつきをなくすことを目的とした第（ｎ＋１）の色変換用のパラメータを含む情報を格納する第（ｎ＋１）の記憶手段と、
第ｎの色変換後の画像データ及び前記第（ｎ＋１）の色変換用のパラメータを取得し、第ｎの色変換後の画像データを前記第（ｎ＋１）の色変換用のパラメータに基づいて色変換する第（ｎ＋１）の色変換手段とを備え、
前記第Ｎ段の表示ユニットの各々が、
複数の色調の発光素子が画素毎に配置されている発光部と、
前記発光素子の色彩特性情報に基づいて画素毎に求められ、第Ｎ段の表示ユニット内部に発生する色のばらつきをなくすことを目的とした第（Ｎ＋１）の色変換用のパラメータを含む情報を格納する第（Ｎ＋１）の記憶手段と、
第Ｎの色変換後の画像データ及び前記第（Ｎ＋１）の色変換用のパラメータを取得し、第Ｎの色変換後の画像データを前記第（Ｎ＋１）の色変換用のパラメータに基づいて色変換する第（Ｎ＋１）の色変換手段と
を備えることを特徴とする表示装置。
【請求項６】
前記第１の色変換用のパラメータが、前記第１段の表示ユニット間に発生する輝度と色度のばらつきをなくすことを目的としたものであり、
前記第１の色変換手段が、前記第１の色変換用のパラメータに基づいて輝度および色度の変換を行う
ことを特徴とする請求項５に記載の表示装置。
【請求項７】
前記第（ｎ＋１）の色変換用のパラメータが、前記第（ｎ＋１）段の表示ユニット間に発生する輝度と色度のばらつきをなくすことを目的としたものであり、
前記第（ｎ＋１）の色変換手段が、前記第（ｎ＋１）の色変換用のパラメータに基づいて輝度および色度の変換を行い、
前記第（Ｎ＋１）の色変換用のパラメータが、前記第Ｎ段の表示ユニット内部に発生する輝度と色度のばらつきをなくすことを目的としたものであり、
前記第（Ｎ＋１）の色変換手段が、前記第（Ｎ＋１）の色変換用のパラメータに基いて、輝度及び色度の変換を行う
ことを特徴とする請求項５又は６に記載の表示装置。
【請求項８】
前記第（ｎ＋１）の色変換用のパラメータが、前記第（ｎ＋１）段の表示ユニット間に発生する輝度のばらつきをなくすことを目的としたものであり、
前記第（ｎ＋１）の色変換手段が、前記第（ｎ＋１）の色変換用のパラメータに基づいて輝度の変換を行い、
前記第（Ｎ＋１）の色変換用のパラメータが、前記第Ｎ段の表示ユニット内部に発生する輝度のばらつきをなくすことを目的としたものであり、
前記第（Ｎ＋１）の色変換手段が、前記第（Ｎ＋１）の色変換用のパラメータに基いて、輝度の変換を行う
ことを特徴とする請求項５又は６に記載の表示装置。
【発明の詳細な説明】
【技術分野】
【０００１】
この発明は、複数の表示ユニットで以て画面ないしは表示部（表示モジュール）が構成される表示装置に関し、特に上記表示部全体の色調を均一化する技術に関する。
【背景技術】
【０００２】
従来の表示装置では、画素毎の色度を均一にするために、色調を補正したい発光素子に供給されている補正電流の一部を、同じ画素内の他のいずれか１つの発光素子に切り替えて供給するようにしている（例えば特許文献１）。
【０００３】
【特許文献１】特開２００３−９９００３号公報（図３）
【発明の開示】
【発明が解決しようとする課題】
【０００４】
このような表示装置にあっては、表示装置を構成する発光素子の１つが故障したり劣化したりした際に、表示装置を構成する表示ユニットを新品と交換して再度表示装置全体の色調を調整しなくてはならない時に、表示装置を構成する発光素子の全てに対する調整を行う必要がある。そのために、輝度の変換データや色度の変換データを全て書き換えなくてはならないという問題点があった。
【０００５】
また、複数個の表示ユニットを組み合わせて表示モジュールを構成する場合に、表示モジュールを構成する全ての発光素子に対して輝度と色度を調整する必要があるので、調整が困難になるという問題点があった。
【０００６】
この発明は、上記のような問題点を解決するためになされたものであり、表示ユニットを交換した時に、輝度の変換データや色度の変換データを全て書き換えなくても、表示装置の色調を再調整できるようにすることを第一の目的としている。
【０００７】
さらに、この発明は、複数個の表示ユニットを組み合わせて表示モジュールを構成する場合に、表示モジュールを構成する全ての発光素子に対する輝度と色度の調整を容易にすることを第二の目的としている。
【課題を解決するための手段】
【０００８】
本発明は、複数個の表示ユニットが配列されて表示モジュールを構成する表示装置であって、前記表示ユニットの表示特性情報に基づいて表示ユニット毎に求められ、表示ユニット間に発生する色のばらつきをなくすことを目的とした第１の色変換用のパラメータを含む情報を格納する第１の記憶手段と、画像データ及び前記第１の色変換用のパラメータを取得し、前記画像データを前記第１の色変換用のパラメータに基づいて色変換して、第１の色変換後の画像データを出力する第１の色変換手段とを備え、前記表示ユニットの各々が、複数の色調の発光素子が画素毎に配置されている発光部と、前記発光素子の色彩特性情報に基づいて画素毎に求められ、表示ユニット内部に発生する色のばらつきをなくすことを目的とした第２の色変換用のパラメータを含む情報を格納する第２の記憶手段と、前記第１の色変換後の画像データ及び前記第２の色変換用のパラメータを取得し、前記第１の色変換後の画像データを前記第２の色変換用のパラメータに基づいて色変換する第２の色変換手段とを備えることを特徴とする表示装置を提供する。
【発明の効果】
【０００９】
請求項１に係る発明によれば、表示モジュール（２０）に対して第１の色変換手段（２２）を備え、表示ユニット（３０ａ、３０ｂ）内に第２の色変換手段（３２）を備えることにより、表示ユニット（３０ａ、３０ｂ）を交換した時に、第１の色変換パラメータ（Ｐ１）と、交換した表示ユニットに備えられた第２の色変換パラメータ（Ｐ２）を書き換えるだけで、表示装置の色調を再調整できる。
【発明を実施するための最良の形態】
【００１０】
以下図面を参照して本発明の実施の形態を説明する。
【００１１】
実施の形態１．
（Ａ）  表示装置１０００の構成
図１は本発明の実施の形態１の表示装置１０００を示す模式的な構成図である。
図１に示される表示装置１０００は、表示モジュール２０と、表示モジュール２０の外部に配置された画像データ生成部１０とを備える。
表示モジュール２０は、例えばマトリックス状に配置された表示ユニット３０ａ〜３０ｉと、表示ユニット３０ａ〜３０ｉの外部に配置された画像データ受信部２１と、第１の色変換手段２２と、第１の記憶手段２３と、画像データ送信部２４とを備える。
【００１２】
図示の例では、９個の表示ユニット３０ａ〜３０ｉが３行３列のマトリクスをなすように配列されているが、行数、列数はそれぞれ３以外であっても良く、互いに異なっていても良い。
【００１３】
表示ユニット３０ａ〜３０ｉの各々は、互いに同一の構成を有し、図２に示されるように、画像データ受信部３１と、第２の色変換手段３２と、第２の記憶手段３３と、画像データ変換部３４と、駆動部３５と、発光部３６とを備える。
【００１４】
発光部３６は、マトリクス状に配列された複数の画素が成り、各画素が複数の互いに異なる色調の発光素子から成る。各画素は例えば、１個の赤色の発光素子と、１個の緑色の発光素子と、１個の青色の発光素子とから成る。各発光素子は例えば発光ダイオード（ＬＥＤ）で構成される。なお、上記のように、各画素が複数の発光素子からなる構成とする代わりに、各画素が一つの発光素子からなる構成の場合にも本発明を適用することができる。
表示ユニット３０ａ〜３０ｉ又は表示装置１０００の表示光を発する。
【００１５】
図３に、赤色、緑色及び青色の色調の発光ダイオードＬＲ、ＬＧ、ＬＢで構成された画素ＰＸの一例を示す。
図示の画素が複数個、例えばマトリクス状に配置され、各画素の各色のＬＥＤに流す電流を調整することにより、各画素に所望の色を表示させている。
【００１６】
図１に示される第１の色変換手段２２は、表示ユニット３０ａ〜３０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ１を含む情報が格納されている。第１の色変換用のパラメータＰ１は、表示ユニット３０ａ〜３０ｉ相互間に発生する輝度及び色度のばらつきをなくすことを目的としたもので、表示ユニット３０〜３０ｉの表示特性情報に基づいて表示ユニット毎に求められたものである。
図２に示される第２の色変換手段３２は、表示ユニット３０ａ〜３０ｉの各々の内部に発生する輝度及び色度のばらつきをなくすことを目的とした、輝度及び色度の変換を行うものであり、第２の記憶手段３３には、第２の色変換手段３２で行う色変換（輝度及び色度の変換）のためのパラメータ（第２の輝度色度変換パラメータ）Ｐ２を含む情報が格納されている。第２の輝度色度変換パラメータＰ２は、表示ユニット３０ａ〜３０ｉの各々の内部に発生する輝度及び色度のばらつきをなくすことを目的とし、発光素子の色彩特性情報に基づいて画素毎に求められたものである。
【００１７】
画像データ受信部２１は、画像データ生成部１０から伝送ライン１０Ｌを介して供給される画像データＤを受信して第１の色変換手段２２へ受け渡し、これとともに、画像データ受信部２１内で生成した表示ユニットの機器番号Ｉ１を第１の記憶手段２３に送信する。
第１の色変換手段２２は、画像データＤと共に第１の記憶手段２３が送信する表示ユニットの機器番号Ｉ１とそれに対応する第１の輝度色度変換パラメータＰ１を受信する。
そして、第１の輝度色度変換パラメータＰ１に基づいて画像データＤの輝度と色度を変換し、変換後の画像データ（「第１の色変換後の画像データ」と言うことがある）Ｄ１と表示ユニットの機器番号Ｉ１を画像データ送信部２４に出力する。
画像データ送信部２４は、画像データＤ１を、表示ユニット３０ａ〜３０ｉの中で、表示ユニットの機器番号Ｉ１に該当するものに送信する。
第１の輝度色度変換パラメータＰ１を用いて画像データＤを画像データＤ１に変換することで、画像データＤを表示モジュール２０に出力させた時に表示ユニット３０ａ〜３０ｉ間で発生する輝度と色度のばらつきをなくすことができる。なお、第１の記憶手段２３に記憶されている第１の輝度色度変換パラメータＰ１は、表示ユニットの機器番号Ｉ１に応じて切り替えられるような構成になっている。
【００１８】
表示ユニットの機器番号Ｉ１に該当する表示ユニット３０ａ〜３０ｉ内部の画像データ受信部３１は、画像データＤ１を受信して第２の色変換手段３２へ受け渡し、これとともに、画像データ受信部３１内で発生した発光部３６の画素番号Ｋ２を第２の記憶手段３３に送信する。第２の色変換手段３２は、画像データＤ１と共に第２の記憶手段３３が送信する発光部３６の画素番号Ｋ２とそれに対応する第２の輝度色度変換パラメータＰ２を受信する。そして、第２の輝度色度変換パラメータＰ２に基づいて画像データＤ１の輝度と色度を変換し、変換後の画像データ（「第２の色変換後の画像データ」と言うことがある）Ｄ２と発光部３６の画素番号Ｋ２を出力する。画像データ変換部３４は画像データＤ２と発光部３６の画素番号Ｋ２を受信して、画像データＤ２を発光部３６の表示素子（ここではＬＥＤ）に適した駆動信号Ｄ３に変換し、これと発光部３６の画素番号Ｋ２を出力する。駆動部３５は、駆動信号Ｄ３に基づいて、発光部３６を構成する発光素子の中で発光部３６の画素番号Ｋ２に該当するものを駆動する。
【００１９】
第２の輝度色度変換パラメータＰ２を用いて画像データＤ１を画像データＤ２に変換することで、画像データＤ１を表示ユニット３０ａ〜３０ｉに出力させた時に表示ユニット３０ａ〜３０ｉ内部で発生する輝度と色度のばらつきをなくすことができる。なお、第２の記憶手段３３に記憶されている第２の輝度色度変換パラメータＰ２は、発光部３６の画素番号Ｋ２毎に切り替えられるような構成になっている。
【００２０】
以上に示したように、表示ユニット３０ａ〜３０ｉの各々に第２の色変換手段３２を備えることにより、表示ユニット３０ａ〜３０ｉのいずれかを交換した時に、第１の輝度色度変換パラメータＰ１と、交換した表示ユニット（３０ａ〜３０ｉのいずれか）に備えられた第２の輝度色度変換パラメータＰ２を書き換えるだけで、表示装置１０００の色調を再調整できる。
【００２１】
（Ａ−１）  画像データ生成部１０の構成
図４に画像データ生成部１０の模式的な構成図を示す。画像データ生成部１０は、アナログ−デジタル変換部（以下「Ａ／Ｄ変換部」とも呼ぶ。また図中では「Ａ／Ｄ」と記す）１１と、画像信号処理部１２と、画像データ送信部１３とを備える。
画像データ生成部１０へ入力されたアナログの画像信号Ｓは、まずＡ／Ｄ変換部１１によりデジタル信号に変換される。そして、デジタル変換後の画像データに対して、画像信号処理部１２が入力信号の特性又は表示ユニット３０ａ〜３０ｉの特性に合わせてγ変換や解像度変換等のデジタル画像処理を行う。その後、画像データ送信部１３は、画像データＤを伝送ライン１０Ｌを介して表示モジュール２０へ送信する。
【００２２】
（Ｂ）  第２の色変換手段３２における輝度色度変換方法
ここでは、式（１）に示すように、３×１の行列の形で表された画像データＤ１を、３×３の行列Ｈ２で変換することで、３×１の行列の形で表された画像データＤ２を導出する。式（１）で、Ｒ１は画像データＤ１の赤色の信号値であり、Ｇ１は画像データＤ１の緑色の信号値であり、Ｂ１は画像データＤ１の青色の信号値であり、Ｒ２は画像データＤ２の赤色の信号値であり、Ｇ２は画像データＤ２の緑色の信号値であり、Ｂ２は画像データＤ２の青色の信号値である。
【００２３】
【数１】
2006267314.tif 000003
【００２４】
（Ｃ）  第２の輝度色度変換パラメータＰ２の設定方法
式（１）で、３×３の行列Ｈ２で画像データを変換するためには、第２の輝度色度変換パラメータＰ２を３×３の行列Ｈ２で表す必要がある。以下、その設定方法について説明する。
【００２５】
３×３の行列Ｈ２は式（２）のように設定される。式（２）で、ＸＲｍｅａｓ，ＹＲｍｅａｓ，ＺＲｍｅａｓは発光部３６を構成する赤色の発光素子の発光量を最大にして、緑色及び青色の発光素子の発光量をゼロにした場合の三刺激値の測定値であり、ＸＧｍｅａｓ，ＹＧｍｅａｓ，ＺＧｍｅａｓは発光部３６を構成する緑色の発光素子の発光量を最大にして、赤色及び青色の発光素子の発光量をゼロにした場合の三刺激値の測定値であり、ＸＢｍｅａｓ，ＹＢｍｅａｓ，ＺＢｍｅａｓは発光部３６を構成する青色の発光素子の発光量を最大にして、赤色及び緑色の発光素子の発光量をゼロにした場合の三刺激値の測定値であり、ＸＲｔａｒｇｅｔ２，ＹＲｔａｒｇｅｔ２，ＺＲｔａｒｇｅｔ２は赤色の表示ユニット３０ａ〜３０ｉ内部のターゲット色の三刺激値であり、ＸＧｔａｒｇｅｔ２，ＹＧｔａｒｇｅｔ２，ＺＧｔａｒｇｅｔ２は緑色の表示ユニット３０ａ〜３０ｉ内部のターゲット色の三刺激値であり、ＸＢｔａｒｇｅｔ２，ＹＢｔａｒｇｅｔ２，ＺＢｔａｒｇｅｔ２は青色の表示ユニット３０ａ〜３０ｉ内部のターゲット色の三刺激値である。
【００２６】
【数２】
2006267314.tif 000004
【００２７】
式（２）で、ＸＲｍｅａｓ，ＹＲｍｅａｓ，ＺＲｍｅａｓ，ＸＧｍｅａｓ，ＹＧｍｅａｓ，ＺＧｍｅａｓ，ＸＢｍｅａｓ，ＹＢｍｅａｓ，ＺＢｍｅａｓは、発光部３６の画素番号Ｋ２毎に異なる値をとる。このため、第２の輝度色度変換パラメータＰ２は発光部３６の画素番号Ｋ２毎に異なる行列をとるので、発光部３６の画素番号Ｋ２毎に第２の輝度色度変換パラメータＰ２を切り替える必要がある。
【００２８】
（Ｄ）  第１の色変換手段２２における輝度色度変換方法
ここでは、式（３）に示すように、３×１の行列の形で表された画像データＤを、３×３の行列Ｈ１で変換することで、３×１の行列の形で表された画像データＤ１を導出する。式（３）で、Ｒ０は画像データＤの赤色の信号値であり、Ｇ０は画像データＤの緑色の信号値であり、Ｂ０は画像データＤの青色の信号値であり、Ｒ１は画像データＤ１の赤色の信号値であり、Ｇ１は画像データＤ１の緑色の信号値であり、Ｂ１は画像データＤ１の青色の信号値である。
【００２９】
【数３】
2006267314.tif 000005
【００３０】
（Ｅ）第１の輝度色度変換パラメータＰ１の設定方法
式（３）で、３×３の行列Ｈ１で画像データを変換するためには、第１の輝度色度変換パラメータＰ１を３×３の行列Ｈ１で表す必要がある。以下、その設定方法について説明する。
【００３１】
３×３の行列Ｈ１は式（４）のように設定される。式（４）で、ＸＲｔａｒｇｅｔ２，ＹＲｔａｒｇｅｔ２，ＺＲｔａｒｇｅｔ２は赤色の表示ユニット３０ａ〜３０ｉ内部のターゲット色の三刺激値であり、ＸＧｔａｒｇｅｔ２，ＹＧｔａｒｇｅｔ２，ＺＧｔａｒｇｅｔ２は緑色の表示ユニット３０ａ〜３０ｉ内部のターゲット色の三刺激値であり、ＸＢｔａｒｇｅｔ２，ＹＢｔａｒｇｅｔ２，ＺＢｔａｒｇｅｔ２は青色の表示ユニット３０ａ〜３０ｉ内部のターゲット色の三刺激値であり、ＸＲｔａｒｇｅｔ１，ＹＲｔａｒｇｅｔ１，ＺＲｔａｒｇｅｔ１は赤色の表示ユニット３０ａ〜３０ｉ間のターゲット色の三刺激値であり、ＸＧｔａｒｇｅｔ１，ＹＧｔａｒｇｅｔ１，ＺＧｔａｒｇｅｔ１は緑色の表示ユニット３０ａ〜３０ｉ間のターゲット色の三刺激値であり、ＸＢｔａｒｇｅｔ１，ＹＢｔａｒｇｅｔ１，ＺＢｔａｒｇｅｔ１は青色の表示ユニット３０ａ〜３０ｉ間のターゲット色の三刺激値である。
【００３２】
【数４】
2006267314.tif 000006
【００３３】
表示ユニット３０ａ〜３０ｉ間で輝度と色度の変換をした後に、表示ユニット３０ａ〜３０ｉ内部で輝度と色度の変換をする。このため、式（４）に示すように、３×３の行列Ｈ１は、表示ユニット３０ａ〜３０ｉ内部のターゲット色の三刺激値と表示ユニット３０ａ〜３０ｉ間のターゲット色の三刺激値で構成される。
【００３４】
式（４）で、ＸＲｔａｒｇｅｔ２，ＹＲｔａｒｇｅｔ２，ＺＲｔａｒｇｅｔ２，ＸＧｔａｒｇｅｔ２，ＹＧｔａｒｇｅｔ２，ＺＧｔａｒｇｅｔ２，ＸＢｔａｒｇｅｔ２，ＹＢｔａｒｇｅｔ２，ＺＢｔａｒｇｅｔ２は、表示ユニット３０ａ〜３０ｉ毎に異なる値をとる。このため、第１の輝度色度変換パラメータＰ１は表示ユニット３０ａ〜３０ｉ毎に異なる行列をとるので、表示ユニット３０ａ〜３０ｉ毎に第１の輝度色度変換パラメータＰ１を切り替える必要がある。
【００３５】
また、表示ユニット３０ａ〜３０ｉの中で、一つの表示ユニット（例えば３０ａ）を交換する時に、表示ユニット３０ａ〜３０ｉ間のターゲット色の三刺激値を変えない場合、第１の輝度色度変換パラメータＰ１の中で書き換える必要のある部分は、表示ユニット３０ａの機器番号Ｉ１に対応する部分のみである。
【００３６】
このように、表示モジュール２０に対して第１の色変換手段２２を備え、表示ユニット３０ａ〜３０ｉ内に第２の色変換手段３２を備えることにより、表示モジュール２０全体の輝度と色度を調整でき、表示装置１０００全体として均一な色調の画像を得ることができる。
【００３７】
また、表示ユニット３０ａ〜３０ｉ毎に第２の色変換手段３２を備えることにより、表示ユニット３０ａ〜３０ｉのいずれを交換した時に、第１の輝度色度変換パラメータＰ１と、交換した表示ユニット（３０ａ〜３０ｉのいずれか）に備えられた第２の輝度色度変換パラメータＰ２を書き換えるだけで、表示装置１０００の色調を再調整できる。
【００３８】
この効果により、例えば、工場や実験室内で交換する表示ユニット（例えば３０ａ）内部の輝度と色度を調整した上で、その表示ユニット（３０ａ）を据え付け場所に持って行き、表示モジュール２０に組み込んでから、表示モジュール２０全体の輝度と色度を調整することも可能になる。
【００３９】
さらに、複数個の表示ユニット３０ａ〜３０ｉを組み合わせて表示モジュール２０を構成する場合に、第２の色変換手段３２で表示ユニット３０ａ〜３０ｉ毎に輝度と色度を調整してから、表示ユニット３０ａ〜３０ｉを組み合わせて第１の色変換手段２２で表示モジュール２０全体の輝度と色度を調整ことが可能になり、表示モジュール２０全体の輝度と色度を一括して調整する時と比較して、表示モジュール２０全体の輝度と色度の調整が容易になる。
【００４０】
この効果により、例えば、工場や実験室内で表示ユニット３０ａ〜３０ｉ内部の輝度と色度を調整した上で、表示ユニット３０ａ〜３０ｉを据え付け場所に持って行き、表示モジュール２０を組み立ててから、表示モジュール２０全体の輝度と色度を調整することも可能になる。
【００４１】
また、発光部３６を構成する画素の個数等、組み合わせる表示ユニット３０ａ〜３０ｉの構成に関わらず、表示モジュール２０全体の輝度と色度を調整することが容易となる。
【００４２】
以上のように、実施の形態１の表示装置は、表示モジュール（２０）に対して輝度及び色度の変換を行う第１の色変換手段（２２）を備え、表示ユニット（３０ａ〜３０ｉのいずれか）内に輝度及び色度の変換を行う第２の色変換手段（３２）を備えることにより、表示ユニット３０ａ〜３０ｉのいずれかを交換した時に、第１の輝度色度変換パラメータ（Ｐ１）と、交換した表示ユニット（３０ａ〜３０ｉのいずれか）に備えられた第２の輝度色度変換パラメータ（Ｐ２）を書き換えるだけで、表示装置の色調を再調整できる。
【００４３】
実施の形態２．
実施の形態１の表示装置１０００においては、表示モジュール２０内部に表示ユニット３０ａ〜３０ｉを１段だけ設けて、表示ユニット３０ａ〜３０ｉ内部に第２の色変換手段３２を設けたが、表示ユニットを複数段設けて、各段の表示ユニットに対して色変換手段を設けてもよい。以下、表示ユニットをＮ段（Ｎは２以上の整数）設けると仮定して、その具体的な方法について説明する。なお、以下の説明では、図１の表示装置１０００との相違点を中心に述べるものとし、既述の構成要素と同等の構成要素には同一の符号を付してその説明を援用するに留める。
【００４４】
（Ａ）  表示装置１０００Ｂの構成
図５は本発明の実施の形態２の表示装置１０００Ｂを示す模式的な構成図である。図５に示すように、表示装置１０００Ｂは、表示モジュール２０Ｂと、既述の画像データ生成部１０とを備える。また、表示モジュール２０Ｂは、例えばマトリックス状に配置された第１段の表示ユニット４０ａ〜４０ｉと、既述の画像データ受信部２１と、既述の第１の色変換手段２２と、既述の第１の記憶手段２３と、既述の画像データ送信部２４とを備える。
【００４５】
第ｎ段（ｎは、１≦ｎ≦Ｎ−１を満たす整数）の表示ユニット５０ａ〜５０ｉの各々は、図６に示すように、例えばマトリックス状に配置された第（ｎ＋１）段の表示ユニット６０ａ〜６０ｉと、既述の画像データ受信部４１と、第（ｎ＋１）の色変換手段４２と、第（ｎ＋１）の記憶手段４３と、画像データ送信部４４とを備える。
【００４６】
第Ｎ段の表示ユニット７０ａ〜７０ｉの各々は、図７に示すように、画像データ受信部５１と、第（Ｎ＋１）の色変換手段５２と、第（Ｎ＋１）の記憶手段５３と、画像データ変換部５４と、駆動部５５と、発光部５６を備える。
【００４７】
図５に示される第１の色変換手段２２は、第１段の表示ユニット４０ａ〜４０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ１を含む情報が格納されている。第１の色変換用のパラメータＰ１は、第１段の表示ユニット４０ａ〜４０ｉ相互間に発生する輝度及び色度のばらつきをなくすことを目的としたもので、表示ユニット４０〜４０ｉの表示特性情報に基づいて表示ユニット毎に求められたものである。
【００４８】
図６に示される第（ｎ＋１）の色変換手段４２は、第（ｎ＋１）段の表示ユニット６０ａ〜６０ｉ相互間に発生する輝度及び色度のばらつきをなくすことを目的とした、輝度及び色度の変換を行うものであり、第（ｎ＋１）の記憶手段４３には、第（ｎ＋１）の色変換手段４２で行う色変換（輝度及び色度の変換）のためのパラメータ（第（ｎ＋１）の輝度色度変換パラメータ）Ｐｏを含む情報が格納されている。第（ｎ＋１）の色変換用のパラメータ（Ｐｏ）は、第（ｎ＋１）段の表示ユニット６０ａ〜６０ｉ相互間に発生する輝度及び色度のばらつきをなくすことを目的としたもので、第（ｎ＋１）段の表示ユニット６０ａ〜６０ｉの表示特性情報に基づいて表示ユニット毎に求められたものである。
【００４９】
図７に示される第（Ｎ＋１）の色変換手段５２は、第Ｎ段の表示ユニット７０ａ〜７０ｉの各々の内部に発生する輝度及び色度のばらつきをなくすことを目的とした、輝度及び色度の変換を行うものであり、第（Ｎ＋１）の記憶手段５３には、第（Ｎ＋１）の色変換手段５２で行う色変換（輝度及び色度の変換）のためのパラメータ（第（Ｎ＋１）の輝度色度変換パラメータ）ＰＯを含む情報が格納されている。第（Ｎ＋１）の輝度色度変換パラメータＰＯは、第Ｎ段の表示ユニット７０ａ〜７０ｉの各々の内部に発生する輝度及び色度のばらつきをなくすことを目的とし、発光素子の色彩特性情報に基づいて画素毎に求められたものである。
【００５０】
（Ｂ）  第（Ｎ＋１）の色変換手段５２における輝度色度変換方法
ここでは、式（５）に示すように、３×１の行列の形で表された画像データＤＮを、３×３の行列ＨＮ＋１で変換することで、３×１の行列の形で表された画像データＤＯを導出する。式（５）で、ＲＮは画像データＤＮの赤色の信号値であり、ＧＮは画像データＤＮの緑色の信号値であり、ＢＮは画像データＤＮの青色の信号値であり、ＲＮ＋１は画像データＤＯの赤色の信号値であり、ＧＮ＋１は画像データＤＯの緑色の信号値であり、ＢＮ＋１は画像データＤＯの青色の信号値である。
【００５１】
【数５】
2006267314.tif 000007
【００５２】
（Ｃ）  第（Ｎ＋１）の輝度色度変換パラメータＰＯの設定方法
式（５）で、３×３の行列ＨＮ＋１で画像データを変換するためには、第（Ｎ＋１）の輝度色度変換パラメータＰＯを３×３の行列ＨＮ＋１で表す必要がある。以下、その設定方法について説明する。
【００５３】
３×３の行列ＨＮ＋１は式（６）のように設定される。式（６）で、ＸＲｍｅａｓ，ＹＲｍｅａｓ，ＺＲｍｅａｓは発光部５６を構成する赤色の発光素子の発光量を最大にして、緑色及び青色の発光素子の発光量をゼロにした場合の三刺激値の測定値であり、ＸＧｍｅａｓ，ＹＧｍｅａｓ，ＺＧｍｅａｓは発光部５６を構成する緑色の発光素子の発光量を最大にして、赤色及び青色の発光素子の発光量をゼロにした場合の三刺激値の測定値であり、ＸＢｍｅａｓ，ＹＢｍｅａｓ，ＺＢｍｅａｓは発光部５６を構成する青色の発光素子の発光量を最大にして、赤色及び緑色の発光素子の発光量をゼロにした場合の三刺激値の測定値であり、ＸＲｔａｒｇｅｔＮ＋１，ＹＲｔａｒｇｅｔＮ＋１，ＺＲｔａｒｇｅｔＮ＋１は赤色の第Ｎ段の表示ユニット７０ａ〜７０ｉ内部のターゲット色の三刺激値であり、ＸＧｔａｒｇｅｔＮ＋１，ＹＧｔａｒｇｅｔＮ＋１，ＺＧｔａｒｇｅｔＮ＋１は緑色の第Ｎ段の表示ユニット７０ａ〜７０ｉ内部のターゲット色の三刺激値であり、ＸＢｔａｒｇｅｔＮ＋１，ＹＢｔａｒｇｅｔＮ＋１，ＺＢｔａｒｇｅｔＮ＋１は青色の第Ｎ段の表示ユニット７０ａ〜７０ｉ内部のターゲット色の三刺激値である。
【００５４】
【数６】
2006267314.tif 000008
【００５５】
式（６）で、ＸＲｍｅａｓ，ＹＲｍｅａｓ，ＺＲｍｅａｓ，ＸＧｍｅａｓ，ＹＧｍｅａｓ，ＺＧｍｅａｓ，ＸＢｍｅａｓ，ＹＢｍｅａｓ，ＺＢｍｅａｓは、発光部５６の画素番号ＫＯ毎に異なる値をとる。このため、第（Ｎ＋１）の輝度色度変換パラメータＰＯは発光部５６の画素番号ＫＯ毎に異なる行列をとるので、発光部５６の画素番号ＫＯ毎に第（Ｎ＋１）の輝度色度変換パラメータＰＯを切り替える必要がある。
【００５６】
（Ｄ）  第（ｎ＋１）の色変換手段４２における輝度色度変換方法
ここでは、式（７）に示すように、３×１の行列の形で表された画像データＤを、３×３の行列Ｈ１で変換することで、３×１の行列の形で表された画像データＤ１を導出する。式（７）で、Ｒｎは画像データＤｎの赤色の信号値であり、Ｇｎは画像データＤｎの緑色の信号値であり、Ｂｎは画像データＤｎの青色の信号値であり、Ｒｎ＋１は画像データＤｏの赤色の信号値であり、Ｇｎ＋１は画像データＤｏの緑色の信号値であり、Ｂｎ＋１は画像データＤｏの青色の信号値である。
【００５７】
【数７】
2006267314.tif 000009
【００５８】
（Ｅ）  第（ｎ＋１）の輝度色度変換パラメータＰｏの設定方法
式（７）で、３×３の行列Ｈｎ＋１で画像データを変換するためには、第（ｎ＋１）の輝度色度変換パラメータＰｏを３×３の行列Ｈｎ＋１で表す必要がある。以下、その設定方法について説明する。
【００５９】
３×３の行列Ｈｎ＋１は式（８）のように設定される。式（８）で、ＸＲｔａｒｇｅｔｎ＋２，ＹＲｔａｒｇｅｔｎ＋２，ＺＲＲｔａｒｇｅｔｎ＋２は赤色の第（ｎ＋１）段の表示ユニット６０ａ〜６０ｉ内部のターゲット色の三刺激値であり、ＸＧＲｔａｒｇｅｔｎ＋２，ＹＧＲｔａｒｇｅｔｎ＋２，ＺＧＲｔａｒｇｅｔｎ＋２は緑色の第（ｎ＋１）段の表示ユニット６０ａ〜６０ｉ内部のターゲット色の三刺激値であり、ＸＢＲｔａｒｇｅｔｎ＋２，ＹＢＲｔａｒｇｅｔｎ＋２，ＺＢＲｔａｒｇｅｔｎ＋２は青色の第（ｎ＋１）段の表示ユニット６０ａ〜６０ｉ内部のターゲット色の三刺激値であり、ＸＲＲｔａｒｇｅｔｎ＋１，ＹＲＲｔａｒｇｅｔｎ＋１，ＺＲＲｔａｒｇｅｔｎ＋１は赤色の第（ｎ＋１）段の表示ユニット６０ａ〜６０ｉ間のターゲット色の三刺激値であり、ＸＧＲｔａｒｇｅｔｎ＋１，ＹＧＲｔａｒｇｅｔｎ＋１，ＺＧＲｔａｒｇｅｔｎ＋１は緑色の第（ｎ＋１）段の表示ユニット６０ａ〜６０ｉ間のターゲット色の三刺激値であり、ＸＢＲｔａｒｇｅｔｎ＋１，ＹＢＲｔａｒｇｅｔｎ＋１，ＺＢＲｔａｒｇｅｔｎ＋１は青色の第（ｎ＋１）段の表示ユニット６０ａ〜６０ｉ間のターゲット色の三刺激値である。
【００６０】
【数８】
2006267314.tif 000010
【００６１】
第（ｎ＋１）段の表示ユニット６０ａ〜６０ｉ間で輝度と色度の変換をした後に第（ｎ＋１）段の表示ユニット６０ａ〜６０ｉ内部で輝度と色度の変換をする。このため、式（８）に示すように、３×３の行列Ｈｎ＋１は、第（ｎ＋１）段の表示ユニット６０ａ〜６０ｉ内部のターゲット色の三刺激値と第（ｎ＋１）段の表示ユニット６０ａ〜６０ｉ間のターゲット色の三刺激値で構成される。
【００６２】
式（８）で、ＸＲＲｔａｒｇｅｔｎ＋２，ＹＲＲｔａｒｇｅｔｎ＋２，ＺＲＲｔａｒｇｅｔｎ＋２，ＸＧＲｔａｒｇｅｔｎ＋２，ＹＧＲｔａｒｇｅｔｎ＋２，ＺＧＲｔａｒｇｅｔｎ＋２，ＸＢＲｔａｒｇｅｔｎ＋２，ＹＢＲｔａｒｇｅｔｎ＋２，ＺＢＲｔａｒｇｅｔｎ＋２は、第（ｎ＋１）段の表示ユニット６０ａ〜６０ｉ毎に異なる値をとる。このため、第（ｎ＋１）の輝度色度変換パラメータＰｏは第（ｎ＋１）段の表示ユニット６０ａ〜６０ｉ毎に異なる行列をとるので、第（ｎ＋１）段の表示ユニット６０ａ〜６０ｉ毎に第（ｎ＋１）の輝度色度変換パラメータＰｏを切り替える必要がある。
【００６３】
以上述べた実施の形態２の表示装置は、表示モジュールに対して輝度及び色度の変換を行う第１の色変換手段を備え、表示モジュール内部に備えられた複数段の表示ユニット各段に対して輝度及び色度の変換を行う色変換手段を備えることにより、第ｎ段の表示ユニットを交換した時に、第ｎの輝度色度変換パラメータと、交換した第ｎ段の表示ユニットに備えられた輝度色度変換パラメータを書き換えるだけで、表示装置の色調を再調整できる。
【００６４】
実施の形態３．
実施の形態１の表示装置１０００では、表示ユニット３０ａ〜３０ｉ内部に輝度と色度の変換を行う第２の色変換手段３２を設けたが、代わりに、輝度の変換を行い色度の変換を行わない第２の色変換手段３７を設けても良い。
すなわち、表示ユニット３０ａ〜３０ｉ内部では輝度のみ変換する構成にすることも可能である。以下、その具体的な方法について説明する。
【００６５】
（Ａ）  表示装置１０００Ｃの構成
図８は本発明の実施の形態３の表示装置１０００Ｃを示す模式的な構成図である。図８に示すように、表示装置１０００Ｃは、表示モジュール２０Ｃと、既述の画像データ生成部１０とを備える。また、表示モジュール２０Ｃは、例えばマトリックス状に配置された表示ユニット８０ａ〜８０ｉと、既述の画像データ受信部２１と、既述の第１の色変換手段２２と、既述の第１の記憶手段２３と、既述の画像データ送信部２４とを備える。
【００６６】
表示ユニット８０ａ〜８０ｉの各々は、図９に示されるように構成されている。図示の表示ユニットは、図２に示す表示ユニット（３０ａ〜３０ｉの各々）と同様であるが、第２の色変換手段３２の代りに、第２の色変換手段３７を備える。
【００６７】
図８に示される第１の色変換手段２２は、表示ユニット８０ａ〜８０ｉ相互間に発生する輝度及び色度のばらつきをなくすことを目的とした、輝度および色度の変換を行うものであり、第１の記憶手段２３には、第１の色変換手段２２で行う色変換（輝度及び色度の変換）のためのパラメータ（第１の輝度色度変換パラメータ）Ｐ３が格納されている。第１の色変換用のパラメータＰ３は、表示ユニット８０ａ〜８０ｉ相互間に発生する輝度及び色度のばらつきをなくすことを目的としたもので、表示ユニット８０〜８０ｉの表示特性情報に基づいて表示ユニット毎に求められたものである。
【００６８】
図９に示される第２の色変換手段３７は、表示ユニット８０ａ〜８０ｉの各々の内部に発生する輝度のばらつきをなくすことを目的とした、輝度のみの変換を行うものであり、第２の記憶手段３３には、第２の色変換手段３７で行う色変換（輝度の変換）のためのパラメータ（第２の輝度変換パラメータ）Ｐ４を含む情報が格納されている。第２の輝度色度変換パラメータＰ４は、表示ユニット８０ａ〜８０ｉの各々の内部に発生する輝度のばらつきをなくすことを目的とし、発光素子の色彩特性情報に基づいて画素毎に求められたものである。
【００６９】
表示ユニットの機器番号Ｉ１に該当する表示ユニット８０ａ〜８０ｉ内部の画像データ受信部３１は、画像データＤ１を受信して第２の色変換手段３７へ受け渡し、これとともに画像データ受信部３１内で生成した発光部３６の画素番号Ｋ４を第２の記憶手段３３に送信する。第２の色変換手段３７は、画像データＤ１と共に第２の記憶手段３３が送信する発光部３６の画素番号Ｋ４とそれに対応する第２の輝度変換パラメータＰ４を受信する。そして、第２の輝度変換パラメータＰ４に基づいて画像データＤ１の輝度を変換し、変換後の画像データ（第２の色変換後の画像データ）Ｄ４と発光部３６の画素番号Ｋ４を出力する。画像データ変換部３４は画像データＤ４と発光部３６の画素番号Ｋ４を受信して、画像データＤ４を発光部３６の表示素子（ここではＬＥＤ）に適した駆動信号Ｄ５に変換し、これと発光部３６の画素番号Ｋ４を出力する。駆動部３５は、駆動信号Ｄ５に基づいて、発光部３６を構成する発光素子の中で発光部３６の画素番号Ｋ４に該当するものを駆動する。
【００７０】
第２の輝度変換パラメータＰ４を用いて画像データＤ１を画像データＤ４に変換することで、画像データＤ１を表示ユニット８０ａ〜８０ｉに出力させた時に表示ユニット８０ａ〜８０ｉ内部で発生する輝度のばらつきをなくすことができる。このばらつきをなくすために、第２の輝度変換パラメータＰ４には、画像データＤ４を表示ユニット８０ａ〜８０ｉに出力させた時の輝度のターゲット値の情報が含まれている。また、第２の記憶手段３３に記憶されている第２の輝度変換パラメータＰ４は、発光部３６の画素番号Ｋ２毎に切り替えられるような構成になっている。
【００７１】
以上に示したように、表示ユニット８０ａ〜８０ｉ毎に第２の色変換手段３７を備えることにより、表示ユニット８０ａ〜８０ｉのいずれかを交換した時に、第１の輝度色度変換パラメータＰ１と、交換した表示ユニット（８０ａ〜８０ｉのいずれか）に備えられた第２の輝度変換パラメータＰ４を書き換えるだけで、表示装置１０００Ｃの色調を再調整できる。
【００７２】
（Ｂ）  第２の色変換手段３７における輝度変換方法
ここでは、式（９）に示すように、３×１の行列の形で表された画像データＤ１を、３×３の行列Ｈ４で変換することで、３×１の行列の形で表された画像データＤ４を導出する。式（９）で、Ｒ１は画像データＤ１の赤色の信号値であり、Ｇ１は画像データＤ１の緑色の信号値であり、Ｂ１は画像データＤ１の青色の信号値であり、Ｒ４は画像データＤ４の赤色の信号値であり、Ｇ４は画像データＤ４の緑色の信号値であり、Ｂ４は画像データＤ４の青色の信号値である。
【００７３】
【数９】
2006267314.tif 000011
【００７４】
（Ｃ）  第２の輝度変換パラメータＰ４の設定方法
式（９）で、３×３の行列Ｈ４で画像データを変換するためには、第２の輝度変換パラメータＰ４を３×３の行列Ｈ４で表す必要がある。以下、その設定方法について説明する。
【００７５】
３×３の行列Ｈ４は、式（１０）のように設定される。式（１０）で、ＹＲｍｅａｓは発光部３６を構成する赤色の発光素子の発光量を最大にして、緑色及び青色の発光素子の発光量をゼロにした場合の輝度の測定値であり、ＹＧｍｅａｓは発光部３６を構成する緑色の発光素子の発光量を最大にして、赤色及び青色の発光素子の発光量をゼロにした場合の輝度の測定値であり、ＹＢｍｅａｓは発光部３６を構成する青色の発光素子の発光量を最大にして、赤色及び緑色の発光素子の発光量をゼロにした場合の輝度の測定値であり、ＹＲｔａｒｇｅｔ４は赤色の表示ユニット８０ａ〜８０ｉ内部のターゲット色の輝度であり、ＹＧｔａｒｇｅｔ４は緑色の表示ユニット８０ａ〜８０ｉ内部のターゲット色の輝度であり、ＹＢｔａｒｇｅｔ４は青色の表示ユニット８０ａ〜８０ｉ内部のターゲット色の輝度である。
【００７６】
【数１０】
2006267314.tif 000012
【００７７】
式（１０）で、ＹＲｍｅａｓ，ＹＧｍｅａｓ，ＹＢｍｅａｓは、発光部３６の画素番号Ｋ４毎に異なる値をとる。このため、第２の輝度変換パラメータＰ４は発光部３６の画素番号Ｋ４毎に異なる行列をとるので、発光部３６の画素番号Ｋ４毎に第２の輝度変換パラメータＰ４を切り替える必要がある。
【００７８】
式（１０）で、ＹＲｔａｒｇｅｔ４，ＹＧｔａｒｇｅｔ４，ＹＢｔａｒｇｅｔ４の設定方法としては、例えば、発光部３６を構成する全ての発光素子におけるＹＲｍｅａｓ，ＹＧｍｅａｓ，ＹＢｍｅａｓの最小値をとる方法が挙げられる。
【００７９】
（Ｄ）  第１の色変換手段２２における輝度色度変換方法
ここでは、式（１１）に示すように、３×１の行列の形で表された画像データＤを、３×３の行列Ｈ３で変換することで、３×１の行列の形で表された画像データＤ１を導出する。式（１１）で、Ｒ０は画像データＤの赤色の信号値であり、Ｇ０は画像データＤの緑色の信号値であり、Ｂ０は画像データＤの青色の信号値であり、Ｒ１は画像データＤ１の赤色の信号値であり、Ｇ１は画像データＤ１の緑色の信号値であり、Ｂ１は画像データＤ１の青色の信号値である。
【００８０】
【数１１】
2006267314.tif 000013
【００８１】
（Ｅ）  第１の輝度色度変換パラメータＰ３の設定方法
式（１１）で、３×３の行列Ｈ３で画像データを変換するためには、第１の輝度色度変換パラメータＰ３を３×３の行列Ｈ３で表す必要がある。以下、その設定方法について説明する。
【００８２】
３×３の行列Ｈ３は式（１２）のように設定される。式（１２）で、ＸＲｔａｒｇｅｔ４，ＹＲｔａｒｇｅｔ４，ＺＲｔａｒｇｅｔ４は赤色の表示ユニット８０ａ〜８０ｉ内部のターゲット色の三刺激値であり、ＸＧｔａｒｇｅｔ４，ＹＧｔａｒｇｅｔ４，ＺＧｔａｒｇｅｔ４は緑色の表示ユニット４０ａ〜４０ｉ内部のターゲット色の三刺激値であり、ＸＢｔａｒｇｅｔ４，ＹＢｔａｒｇｅｔ４，ＺＢｔａｒｇｅｔ４は青色の表示ユニット８０ａ〜８０ｉ内部のターゲット色の三刺激値であり、ＸＲｔａｒｇｅｔ１，ＹＲｔａｒｇｅｔ１，ＺＲｔａｒｇｅｔ１は赤色の表示ユニット８０ａ〜８０ｉ間のターゲット色の三刺激値であり、ＸＧｔａｒｇｅｔ１，ＹＧｔａｒｇｅｔ１，ＺＧｔａｒｇｅｔ１は緑色の表示ユニット８０ａ〜８０ｉ間のターゲット色の三刺激値であり、ＸＢｔａｒｇｅｔ１，ＹＢｔａｒｇｅｔ１，ＺＢｔａｒｇｅｔ１は青色の表示ユニット８０ａ〜８０ｉ間のターゲット色の三刺激値である。
【００８３】
【数１２】
2006267314.tif 000014
【００８４】
表示ユニット８０ａ〜８０ｉ間で輝度と色度の変換をした後に表示ユニット８０ａ〜８０ｉ内部で輝度と色度の変換をする。このため、式（１２）に示すように、３×３の行列Ｈ３は、表示ユニット８０ａ〜８０ｉ内部のターゲット色の三刺激値と表示ユニット８０ａ〜８０ｉ間のターゲット色の三刺激値で構成される。
【００８５】
式（１２）で、ＸＲｔａｒｇｅｔ４，ＹＲｔａｒｇｅｔ４，ＺＲｔａｒｇｅｔ４，ＸＧｔａｒｇｅｔ４，ＹＧｔａｒｇｅｔ４，ＺＧｔａｒｇｅｔ４，ＸＢｔａｒｇｅｔ４，ＹＢｔａｒｇｅｔ４，ＺＢｔａｒｇｅｔ４は、表示ユニット８０ａ〜８０ｉ毎に異なる値をとる。このため、第１の輝度色度変換パラメータＰ３は表示ユニット８０ａ〜８０ｉ毎に異なる行列をとるので、表示ユニット８０ａ〜８０ｉ毎に第１の輝度色度変換パラメータＰ３を切り替える必要がある。
【００８６】
また、表示ユニット８０ａ〜８０ｉの中で、一つの表示ユニット（例えば８０ａ）を交換する時に、表示ユニット８０ａ〜８０ｉ間のターゲット色の三刺激値を変えない場合、第１の輝度色度変換パラメータＰ３の中で書き換える必要のある部分は、交換した表示ユニット（８０ａ）の機器番号Ｉ１に対応する部分のみである。
【００８７】
表示ユニット８０ａ〜８０ｉ内部のターゲット色の三刺激値の設定方法として、例えば、以下に示す方法が挙げられる。
【００８８】
まず、ＹＲｔａｒｇｅｔ４，ＹＧｔａｒｇｅｔ４，ＹＢｔａｒｇｅｔ４として、前述のように、発光部３６を構成する全ての発光素子におけるＹＲｍｅａｓ，ＹＧｍｅａｓ，ＹＢｍｅａｓの最小値を設定する。
次に、赤色の表示ユニット８０ａ〜８０ｉ内部のターゲット色の色度ｘＲｔａｒｇｅｔ４，ｙＲｔａｒｇｅｔ４として、発光部３６を構成する赤色の発光素子の発光量を最大にして、緑色及び青色の発光素子の発光量をゼロにした場合の色度の測定値ｘＲｍｅａｓ，ｙＲｍｅａｓの平均値を設定する。
【００８９】
また、緑色の表示ユニット８０ａ〜８０ｉ内部のターゲット色の色度ｘＧｔａｒｇｅｔ４，ｙＧｔａｒｇｅｔ４として、発光部３６を構成する緑色の発光素子の発光量を最大にして、赤色及び青色の発光素子の発光量をゼロにした場合の色度の測定値ｘＧｍｅａｓ，ｙＧｍｅａｓの平均値を設定する。さらに、青色の表示ユニット８０ａ〜８０ｉ内部のターゲット色の色度ｘＢｔａｒｇｅｔ４，ｙＢｔａｒｇｅｔ４として、発光部３６を構成する青色の発光素子の発光量を最大にして、赤色及び緑色の発光素子の発光量をゼロにした場合の色度の測定値ｘＢｍｅａｓ，ｙＢｍｅａｓの平均値を設定する。
【００９０】
最後に、ＸＲｔａｒｇｅｔ４，ＺＲｔａｒｇｅｔ４，ＸＧｔａｒｇｅｔ４，ＺＧｔａｒｇｅｔ４，ＸＢｔａｒｇｅｔ４，ＺＢｔａｒｇｅｔ４を、式（１３）から導出する。
【００９１】
【数１３】
2006267314.tif 000015
【００９２】
表示モジュール２０Ｃに対して第１の色変換手段２２を備え、表示ユニット８０ａ〜８０ｉ内に第２の色変換手段３７を備えることにより、表示モジュール２０Ｃ全体の輝度と色度を調整でき、表示装置１０００Ｃ全体として均一な色調の画像を得ることができる。
【００９３】
また、表示ユニット８０ａ〜８０ｉ毎に第２の色変換手段３７を備えることにより、一つの表示ユニット（例えば８０ａ）を交換した時に、第１の輝度色度変換パラメータＰ１と、交換した表示ユニット（８０ａ）に備えられた第２の輝度変換パラメータＰ４を書き換えるだけで、表示装置１０００Ｃの色調を再調整できる。
【００９４】
この効果により、例えば、工場や実験室内で交換する表示ユニット（例えば８０ａ）内部の輝度を調整した上で、その表示ユニット（８０ａ）を据え付け場所に持って行き、表示モジュール２０Ｃに組み込んでから、表示モジュール２０Ｃ全体の輝度と色度を調整することも可能になる。
【００９５】
さらに、複数個の表示ユニット８０ａ〜８０ｉを組み合わせて表示モジュール２０Ｃを構成する場合に、第２の色変換手段３７で表示ユニット８０ａ〜８０ｉ毎に輝度を調整してから、表示ユニット８０ａ〜８０ｉを組み合わせて第１の色変換手段２２で表示モジュール２０Ｃ全体の輝度と色度を調整することが可能になり、表示モジュール２０Ｃ全体の輝度と色度を一括して調整する時と比較して、表示モジュール２０Ｃ全体の輝度と色度の調整が容易になる。
【００９６】
この効果により、例えば、工場や実験室内で表示ユニット８０ａ〜８０ｉ内部の輝度を調整した上で、表示ユニット８０ａ〜８０ｉを据え付け場所に持って行き、表示モジュール２０Ｃを組み立ててから、表示モジュール２０Ｃ全体の輝度と色度を調整することも可能になる。
【００９７】
また、発光部３６を構成する画素の個数等、組み合わせる表示ユニット８０ａ〜８０ｉの構成に関わらず、表示モジュール２０Ｃ全体の輝度と色度を調整することが容易となる。
【００９８】
以上のように実施の形態３の表示装置は、表示モジュールに対して輝度及び色度の変換を行う第１の色変換手段を備え、表示ユニット内に第２の輝度の変換を行う色変換手段を備えることにより、表示ユニットを交換した時に、第１の輝度色度変換パラメータと、交換した表示ユニットに備えられた第２の輝度変換パラメータを書き換えるだけで、表示装置の色調を再調整できる。
【００９９】
実施の形態４．
実施の形態３の表示装置１０００Ｃにおいては、表示モジュール２０Ｃ内部に表示ユニット８０ａ〜８０ｉを１段だけ設けて、表示ユニット８０ａ〜８０ｉ内部に第２の色変換手段３７を設けたが、表示ユニットを複数段設けて、各段の表示ユニットに対して色変換手段を設けてもよい。以下、表示ユニットをＮ段（Ｎは２以上の整数）設けると仮定して、その具体的な方法について説明する。
【０１００】
（Ａ）  表示装置１０００Ｄの構成
図１０は本発明の実施の形態４の表示装置１０００Ｄを示す模式的な構成図である。図１０に示すように、表示装置１０００Ｄは、表示モジュール２０Ｄと、既述の画像データ生成部１０とを備える。また、表示モジュール２０Ｄは、例えばマトリックス状に配置された第１段の表示ユニット９０ａ〜９０ｉと、既述の画像データ受信部２１と、既述の第１の色変換手段２２と、既述の第１の記憶手段２３と、既述の画像データ送信部２４とを備える。
【０１０１】
第ｎ段（ｎは、１≦ｎ≦Ｎ−１を満たす整数）の表示ユニット１００ａ〜１００ｉの各々は、図１１に示すように、例えばマトリックス状に配置された第（ｎ＋１）段の表示ユニット１１０ａ〜１１０ｉと、既述の画像データ受信部４１と、第（ｎ＋１）の色変換手段４７と、第（ｎ＋１）の記憶手段４３と、画像データ送信部４４とを備える。
【０１０２】
第Ｎ段の表示ユニット１２０ａ〜１２０ｉは、図１２に示すように、画像データ受信部５１と、第（Ｎ＋１）の色変換手段５７と、第（Ｎ＋１）の記憶手段５３と、画像データ変換部５４と、駆動部５５と、発光部５６を備える。
【０１０３】
図１０に示される第１の色変換手段２２は、第１段の表示ユニット９０ａ〜９０ｉ相互間に発生する輝度及び色度のばらつきをなくすことを目的とした、輝度及び色度の変換を行うものであり、第１の記憶手段２３には、第１の色変換手段２２で行う色変換（輝度及び色度の変換）のためのパラメータ（第１の輝度色度変換パラメータ）Ｐ３を含む情報が格納されている。第１の色変換用のパラメータＰ３は、第１段の表示ユニット９０ａ〜９０ｉ相互間に発生する輝度と色度のばらつきをなくすことを目的としたもので、表示ユニット９０ａ〜９０ｉの表示特性情報に基づいて表示ユニット毎に求められたものである。
【０１０４】
図１１に示される第（ｎ＋１）の色変換手段４７は、第（ｎ＋１）段の表示ユニット１１０ａ〜１１０ｉ相互間に発生する輝度のばらつきをなくすことを目的とした輝度のみの変換を行うものであり、第（ｎ＋１）の記憶手段４３には、第（ｎ＋１）の色変換手段４７で行う色変換（輝度の変換）のためのパラメータ（第（ｎ＋１）の輝度変換パラメータ）Ｐｏ’を含む情報が格納されている。第（ｎ＋１）の色変換用のパラメータＰｏ’は、第（ｎ＋１）段の表示ユニット１１０ａ〜１１０ｉ相互間に発生する輝度のばらつきをなくすことを目的としたもので、第（ｎ＋１）段の表示ユニット１１０ａ〜１１０ｉの表示特性情報に基づいて表示ユニット毎に求められたものである。
【０１０５】
図１２に示される第（Ｎ＋１）の色変換手段５７は、第Ｎ段の表示ユニット１２０ａ〜１２０ｉの各々の内部に発生する輝度のばらつきをなくすことを目的とした、輝度のみの変換を行うものであり、第（Ｎ＋１）の記憶手段５３には、第（Ｎ＋１）の色変換手段５７で行う色変換（輝度のみの変換）のためのパラメータ（第（Ｎ＋１）の輝度変換パラメータ）ＰＯ’を含む情報が格納されている。第（Ｎ＋１）の輝度変換パラメータＰＯ’は、第Ｎ段の表示ユニット１２０ａ〜１２０ｉの各々の内部に発生する輝度のばらつきをなくすことを目的とし、発光素子の色彩特性情報に基づいて画素毎に求められたものである。
【０１０６】
（Ｂ）  第（Ｎ＋１）の色変換手段５７における輝度変換方法
ここでは、式（１４）に示すように、３×１の行列の形で表された画像データＤＮ’を、３×３の行列ＨＮ＋１’で変換することで、３×１の行列の形で表された画像データＤＯ’を導出する。式（１４）で、ＲＮ’は画像データＤＮ’の赤色の信号値であり、ＧＮ’は画像データＤＮ’の緑色の信号値であり、ＢＮ’は画像データＤＮ’の青色の信号値であり、ＲＮ＋１’は画像データＤＯ’の赤色の信号値であり、ＧＮ＋１’は画像データＤＯ’の緑色の信号値であり、ＢＮ＋１’は画像データＤＯ’の青色の信号値である。
【０１０７】
【数１４】
2006267314.tif 000016
【０１０８】
（Ｃ）  第（Ｎ＋１）の輝度変換パラメータＰＯ’の設定方法
式（１４）で、３×３の行列Ｎ＋１’で画像データを変換するためには、第（Ｎ＋１）の輝度変換パラメータＰＯ’を３×３の行列Ｎ＋１’で表す必要がある。以下、その設定方法について説明する。
【０１０９】
３×３の行列Ｎ＋１’は式（１５）のように設定される。式（１５）で、ＹＲｍｅａｓは発光部５６を構成する赤色の発光素子の発光量を最大にして、緑色及び青色の発光素子の発光量をゼロにした場合の輝度の測定値であり、ＹＧｍｅａｓは発光部５６を構成する緑色の発光素子の発光量を最大にして、赤色及び青色の発光素子の発光量をゼロにした場合の輝度の測定値であり、ＹＢｍｅａｓは発光部５６を構成する青色の発光素子の発光量を最大にして、赤色及び緑色の発光素子の発光量をゼロにした場合の輝度の測定値であり、ＹＲｔａｒｇｅｔＮ＋１’は赤色の第Ｎ段の表示ユニット１２０ａ〜１２０ｉ内部のターゲット色の輝度であり、ＹＧｔａｒｇｅｔＮ＋１’は緑色の第Ｎ段の表示ユニット１２０ａ〜１２０ｉ内部のターゲット色の輝度であり、ＹＢｔａｒｇｅｔＮ＋１’は青色の第Ｎ段の表示ユニット１２０ａ〜１２０ｉ内部のターゲット色の輝度である。
【０１１０】
【数１５】
2006267314.tif 000017
【０１１１】
式（１５）で、ＹＲｍｅａｓ，ＹＧｍｅａｓ，ＹＢｍｅａｓは、発光部５６の画素番号ＫＯ’毎に異なる値をとる。このため、第（Ｎ＋１）の輝度変換パラメータＰＯ’は発光部５６の画素番号ＫＯ’毎に異なる行列をとるので、発光部５６の画素番号ＫＯ’毎に第（Ｎ＋１）の輝度変換パラメータＰＯ’を切り替える必要がある。
【０１１２】
（Ｄ）  第（ｎ＋１）の色変換手段４７における輝度変換方法
ここでは、式（１６）に示すように、３×１の行列の形で表された画像データＤｎ’を、３×３の行列Ｈｎ＋１’で変換することで、３×１の行列の形で表された画像データＤｏ’を導出する。式（１６）で、Ｒｎ’は画像データＤｎ’の赤色の信号値であり、Ｇｎ’は画像データＤｎ’の緑色の信号値であり、Ｂｎ’は画像データＤｎ’の青色の信号値であり、Ｒｎ＋１’は画像データＤｏ’の赤色の信号値であり、Ｇｎ＋１’は画像データＤｏ’の緑色の信号値であり、Ｂｎ＋１’は画像データＤｏ’の青色の信号値である。
【０１１３】
【数１６】
2006267314.tif 000018
【０１１４】
（Ｅ）  第（ｎ＋１）の輝度変換パラメータＰｏ’の設定方法
式（１６）で、３×３の行列Ｈｎ＋１’で画像データを変換するためには、第（ｎ＋１）の輝度変換パラメータＰｏを３×３の行列Ｈｎ＋１’で表す必要がある。以下、その設定方法について説明する。
【０１１５】
３×３の行列Ｈｎ＋１’は式（１７）のように設定される。式（１７）で、ＹＲＲｔａｒｇｅｔｎ＋２’は赤色の第（ｎ＋１）段の表示ユニット１１０ａ〜１１０ｉ内部のターゲット色の輝度であり、ＹＧＲｔａｒｇｅｔｎ＋２’は緑色の第（ｎ＋１）段の表示ユニット１１０ａ〜１１０ｉ内部のターゲット色の輝度であり、ＹＢＲｔａｒｇｅｔｎ＋２’は青色の第（ｎ＋１）段の表示ユニット１１０ａ〜１１０ｉ内部のターゲット色の輝度であり、ＹＲｔａｒｇｅｔｎ＋１’は赤色の第（ｎ＋１）段の表示ユニット１１０ａ〜１１０ｉ間のターゲット色の輝度であり、ＹＧｔａｒｇｅｔｎ＋１’は緑色の第（ｎ＋１）段の表示ユニット１１０ａ〜１１０ｉ間のターゲット色の輝度であり、ＹＢｔａｒｇｅｔｎ＋１’は青色の第（ｎ＋１）段の表示ユニット１１０ａ〜１１０ｉ間のターゲット色の輝度である。
【０１１６】
【数１７】
2006267314.tif 000019
【０１１７】
第（ｎ＋１）段の表示ユニット１１０ａ〜１１０ｉ間で輝度の変換をした後に第（ｎ＋１）段の表示ユニット１１０ａ〜１１０ｉ内部で輝度の変換をする。このため、式（１７）に示すように、３×３の行列Ｈｎ＋１’は、第（ｎ＋１）段の表示ユニット１１０ａ〜１１０ｉ内部のターゲット色の三刺激値と第（ｎ＋１）段の表示ユニット１１０ａ〜１１０ｉ間のターゲット色の三刺激値で構成される。
【０１１８】
式（１７）で、ＹＲＲｔａｒｇｅｔｎ＋２’，ＹＧＲｔａｒｇｅｔｎ＋２’，ＹＢＲｔａｒｇｅｔｎ＋２’は、第（ｎ＋１）段の表示ユニット１１０ａ〜１１０ｉ毎に異なる値をとる。このため、第（ｎ＋１）の輝度変換パラメータＰｏ’は第（ｎ＋１）段の表示ユニット１１０ａ〜１１０ｉ毎に異なる行列をとるので、第（ｎ＋１）段の表示ユニット１１０ａ〜１１０ｉ毎に第（ｎ＋１）の輝度変換パラメータＰｏ’を切り替える必要がある。
【０１１９】
以上述べた実施の形態４の表示装置は、表示モジュールに対して輝度及び色度の変換を行う第１の色変換手段を備え、表示モジュール内部に備えられた複数段の表示ユニット各段に対して輝度の変換を行う色変換手段を備えることにより、第ｎ段の表示ユニットを交換した時に、第ｎの輝度変換パラメータと、交換した第ｎ段の表示モジュールに備えられた輝度変換パラメータを書き換えるだけで、表示装置の色調を再調整できる。
【図面の簡単な説明】
【０１２０】
【図１】本発明の実施の形態１の表示装置の模式的な構成図である。
【図２】実施の形態１における表示ユニット３０ａ〜３０ｉの各々の構成を示すブロック図である。
【図３】赤色、緑色及び青色の色調の発光ダイオードＬＲ、ＬＧ、ＬＢで構成された画素ＰＸの一例を示す図である。
【図４】本発明の実施の形態１の表示装置内の画像データ生成部の模式的な構成図である。
【図５】本発明の実施の形態２の表示装置の模式的な構成図である。
【図６】実施の形態２における第ｎ段の表示ユニット５０ａ〜５０ｉの各々の構成を示すブロック図である。
【図７】実施の形態２における第Ｎ段の表示ユニット７０ａ〜７０ｉの各々の構成を示すブロック図である。
【図８】本発明の実施の形態３の表示装置の模式的な構成図である。
【図９】実施の形態３における表示ユニット８０ａ〜８０ｉの各々の構成を示すブロック図である。
【図１０】本発明の実施の形態４の表示装置の模式的な構成図である。
【図１１】実施の形態４における第ｎ段の表示ユニット１００ａ〜１００ｉの各々の構成を示すブロック図である。
【図１２】実施の形態４における第Ｎ段の表示ユニット１１０ａ〜１１０ｉの各々の構成を示すブロック図である。
【符号の説明】
【０１２１】
１０  画像データ生成部、  １０Ｌ  伝送ライン、  １１  アナログ−デジタル変換部（Ａ／Ｄ）、  １２  画像信号処理部、  １３，２４，４４  画像データ送信部、  ２０，２０Ｂ，２０Ｃ，２０Ｄ  表示モジュール、  ２１，３１，４１，５１  画像データ受信部、  ２２  第１の色変換手段、  ２３  第１の記憶手段、  ３０ａ〜３０ｉ，８０ａ〜８０ｉ  表示ユニット、  ３２  第２の色変換手段、  ３３  第２の記憶手段、  ３４，５４  画像データ変換部、  ３５，５５  駆動部、  ３６，５６  発光部、  ３７  第２の色変換手段、  ４０ａ〜４０ｉ，９０ａ〜９０ｉ  第１段の表示ユニット、  ４２  第（ｎ＋１）の色変換手段、  ４３  第（ｎ＋１）の記憶手段、  ４７  第（ｎ＋１）の色変換手段、  ５０ａ〜５０ｉ，１００ａ〜１００ｉ  第ｎ段の表示ユニット、  ５２  第（Ｎ＋１）の色変換手段、  ５３  第（Ｎ＋１）の記憶手段、  ５７  第（Ｎ＋１）の色変換手段、  ６０ａ〜６０ｉ，１１０ａ〜１１０ｉ  第（ｎ＋１）段の表示ユニット、  ７０ａ〜７０ｉ，１２０ａ〜１２０ｉ  第Ｎ段の表示ユニット、  １０００，１０００Ｂ，１０００Ｃ，１０００Ｄ  表示装置、  Ｓ  アナログの画像信号、  Ｄ，Ｄ１，Ｄ２，Ｄ３，Ｄｎ，Ｄｏ，ＤＮ，ＤＯ，ＤＰ，Ｄ４，Ｄ５，Ｄｎ’，Ｄｏ’，ＤＮ’，ＤＯ’，ＤＰ’  画像データ、  Ｉ１，Ｉｏ，Ｉｏ’  機器番号、  Ｋ２，ＫＯ，Ｋ４，ＫＯ’  画素番号、  Ｐ１，Ｐ３  第１の輝度色度変換パラメータ、  Ｐ２  第２の輝度色度変換パラメータ、  Ｐｏ  第（ｎ＋１）の輝度色度変換パラメータ、  ＰＯ  第（Ｎ＋１）の輝度色度変換パラメータ、  Ｐ４  第２の輝度変換パラメータ、  Ｐｏ’  第（ｎ＋１）の輝度変換パラメータ、  ＰＯ’  第（Ｎ＋１）の輝度変換パラメータ。
【図１】
2006267314.tif 000020
【図２】
2006267314.tif 000021
【図３】
2006267314.tif 000022
【図４】
2006267314.tif 000023
【図５】
2006267314.tif 000024
【図６】
2006267314.tif 000025
【図７】
2006267314.tif 000026
【図８】
2006267314.tif 000027
【図９】
2006267314.tif 000028
【図１０】
2006267314.tif 000029
【図１１】
2006267314.tif 000030
【図１２】
2006267314.tif 000031